【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  加熱軟化した近赤外線吸収ガラスを一対の押圧型の間に配置する工程と、上記押圧型を加圧摺動して、上記近赤外線吸収ガラスに上記押圧型の内部形状を転写する工程とを有するフィルタレンズの製造方法であって、
上記押圧型は、その少なくとも一方の成形面が非球面形状であることを特徴とするフィルタレンズの製造方法。
【請求項２】  近赤外線吸収ガラスからなり、少なくとも１つの面が非球面形状であることを特徴とするフィルタレンズ。
【請求項３】  一方の面が凸形状であり、他方の面が凹形状であるメニスカスレンズであることを特徴とする請求項２記載のフィルタレンズ。
【請求項４】  少なくとも一方の凸面もしくは凹面の外周に平面部を有することを特徴とする請求項２記載のフィルタレンズ。
【請求項５】  近赤外線吸収ガラスが酸化銅を０．５〜９ｗｔ％含むことを特徴とする請求項２記載のフィルタレンズ。
【請求項６】  撮像素子と、上記撮像素子に結像させるためのレンズ系とを備えた撮像装置であって、上記レンズ系が、近赤外線吸収ガラスからなり少なくとも１つの面が非球面形状であるフィルタレンズを含むことを特徴とする撮像装置。
【手続補正２】
【補正対象書類名】明細書
【補正対象項目名】０００７
【補正方法】変更
【補正の内容】
【０００７】
【課題を解決するための手段】
この課題を解決するために、本発明の請求項１記載のフィルタレンズの製造方法は、加熱軟化した近赤外線吸収ガラスを一対の押圧型の間に配置する工程と、上記押圧型を加圧摺動して、上記近赤外線吸収ガラスに上記押圧型の内部形状を転写する工程とを有するフィルタレンズの製造方法であって、上記押圧型が、その少なくとも一方の成形面が非球面形状であるものとしたものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、本発明の請求項２記載のフィルタレンズは、近赤外線吸収ガラスからなり、少なくとも１つの面が非球面形状であるものとしたものである。
【手続補正９】
【補正対象書類名】明細書
【補正対象項目名】００１４
【補正方法】変更
【補正の内容】
【００１４】
また、本発明の請求項３記載のフィルタレンズは、請求項２記載のフィルタレンズにおいて、該フィルタレンズは、一方の面が凸形状であり、他方の面が凹形状であるメニスカスレンズであるものとしたものである。
【手続補正１０】
【補正対象書類名】明細書
【補正対象項目名】００１５
【補正方法】変更
【補正の内容】
【００１５】
また、本発明の請求項４記載のフィルタレンズは、請求項２に記載のフィルタレンズにおいて、該フィルタレンズは、少なくとも一方の凸面もしくは凹面の外周に平面部を有するものとしたものである。
【手続補正１１】
【補正対象書類名】明細書
【補正対象項目名】００１６
【補正方法】変更
【補正の内容】
【００１６】
また、本発明の請求項５記載のフィルタレンズは、請求項２に記載のフィルタレンズにおいて、近赤外線吸収ガラスが酸化銅を０．５〜９ｗｔ％含むようにしたものである。
【手続補正１２】
【補正対象書類名】明細書
【補正対象項目名】００１７
【補正方法】変更
【補正の内容】
【００１７】
また、本発明の請求項６記載の撮像装置は、撮像素子と、上記撮像素子に結像させるためのレンズ系とを備えた撮像装置であって、上記レンズ系が、近赤外線吸収ガラスからなり少なくとも１つの面が非球面形状であるフィルタレンズを含むようにしたものである。
【手続補正１３】
【補正対象書類名】明細書
【補正対象項目名】００３３
【補正方法】変更
【補正の内容】
【００３３】
【発明の効果】
以上のように、本発明の請求項１記載のフィルタレンズの製造方法によれば、加熱軟化した近赤外線吸収ガラスを一対の押圧型の間に配置する工程と、上記押圧型を加圧摺動して、上記近赤外線吸収ガラスに上記押圧型の内部形状を転写する工程とを有するフィルタレンズの製造方法であって、上記押圧型が、その少なくとも一方の成形面が非球面形状であるものとしたので、上記フィルタレンズのレンズ面を球面や非球面の複雑な所望の形状にすることが容易で、且つ非常に生産性よく安価に上記フィルタレンズを製造する方法を提供することができる。
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】変更
【補正の内容】
【００３９】
また、本発明の請求項２記載のフィルタレンズによれば、近赤外線吸収ガラスからなり、少なくとも１つの面が非球面形状であるものとしたので、上記フィルタレンズに結像作用を生じさせることができる。
【手続補正２０】
【補正対象書類名】明細書
【補正対象項目名】００４０
【補正方法】変更
【補正の内容】
【００４０】
また、本発明の請求項３記載のフィルタレンズによれば、請求項２記載のフィルタレンズにおいて、該フィルタレンズは、一方の面が凸形状であり、他方の面が凹形状であるメニスカスレンズであるものとしたので、上記フィルタレンズの両面でレンズ作用を生じることが可能となり、性能の良いレンズを設計することができるとともに、上記レンズの肉厚のかたよりが少なくなり、近赤外線の吸収量が均一なフィルタレンズを実現することができる。
【手続補正２１】
【補正対象書類名】明細書
【補正対象項目名】００４１
【補正方法】変更
【補正の内容】
【００４１】
また、本発明の請求項４記載のフィルタレンズによれば、請求項２に記載のフィルタレンズにおいて、該フィルタレンズは、少なくとも一方の凸面もしくは凹面の外周に平面部を有するものとしたので、上記フィルタレンズの平面部分を取り付け部として利用することが可能になり、撮像装置の光軸に対して、容易にフィルタレンズの光軸を合わせて装着することができる。また、押圧型の成形面が凹面であり、かつ凹面の外周部分に平面部がない場合は、成形面の端が鋭利なエッジ部となり押圧型の組立分解や成形時に欠けを生じやすいが、レンズ面の外周部分に平面部を設けることで、鋭利部をなくし、押圧型の組立分解や成形時に生じる欠けを防止することができる。
【手続補正２２】
【補正対象書類名】明細書
【補正対象項目名】００４２
【補正方法】変更
【補正の内容】
【００４２】
また、本発明の請求項５記載のフィルタレンズの製造方法によれば、請求項２に記載のフィルタレンズにおいて、近赤外線吸収ガラスが酸化銅を０．５〜９ｗｔ％含むこととしたので、近赤外線を容易に吸収することができる。
【手続補正２３】
【補正対象書類名】明細書
【補正対象項目名】００４３
【補正方法】変更
【補正の内容】
【００４３】
また、本発明の請求項６記載の撮像装置によれば、撮像素子と、上記撮像素子に結像させるためのレンズ系とを備えた撮像装置であって、上記レンズ系が、近赤外線吸収ガラスからなり少なくとも１つの面が非球面形状であるフィルタレンズを含むこととしたので、従来では結像レンズ系とは別に必要であった近赤外線吸収ガラス板をなくすことが可能となり、部品の削除、装置の小型化、低コスト化を実現することができる。